(57)【要約】【課題】  吸入モードによる掃除は勿論で、ブローモードによる掃除も可能な真空掃除機を提供しようとする。【解決手段】  所定内部空間を有して外形を形成するケーシング１１と、該ケーシング１１の内部に装着され、吸入力を発生する吸入力発生部１３と、前記ケーシング１１に連結され、不純物を除去するための掃除道具及び流路を備えたヘッド部５と、前記ケーシング１１の内部に装着され、外部から吸入された空気から不純物を濾過するフィルタ部１２と、前記ケーシング１１の内部に装着され、前記ヘッド部５、フィルタ部１２及び吸入力発生部１３に流れる空気の流動方向を選択的に切替する流路切替手段２０と、前記ヘッド部５、フィルタ部１２、吸入力発生部１３及び流路切替手段２０に流れる空気の通路を提供する複数の管１４〜１８と、を包含して真空掃除機を構成する。【選択図】      図１
2005000639.tif 000002
【特許請求の範囲】
【請求項１】
所定内部空間を有して形成されたケーシングと、
該ケーシングの内部に装着され、吸入力を発生する吸入力発生部と、
前記ケーシングに連結され、不純物を除去するための掃除道具及び流路を備えたヘッド部と、
前記ケーシングの内部に装着され、外部から吸入された空気から不純物を濾過するフィルタ部と、
前記ケーシングの内部に装着され、前記ヘッド部、フィルタ部及び吸入力発生部に流れる空気の流動方向を選択的に切替する流路切替手段と、
前記ヘッド部、フィルタ部、吸入力発生部及び流路切替手段に流れる空気の通路を提供する複数の管と、
を包含して構成されることを特徴とする真空掃除機。
【請求項２】
前記複数の管は、
前記ヘッド部と連通されるように、前記流路切替手段の一方側に形成されたヘッド部連結管と、
前記流路切替手段とフィルタ部とに連結されたメイン流入管と、
前記フィルタ部と前記吸入力発生部とに連結された誘導管と、
前記フィルタ部から前記吸入力発生部に流入された空気が外部に排気されるように、前記吸入力発生部の一方側に連結されたメイン排出管と、
前記流路切替手段と前記メイン排出管とに連結された補助排出管と、
から構成されることを特徴とする請求項１記載の真空掃除機。
【請求項３】
前記流路切替手段は、
前記ケーシングに設置され、前記ヘッド部連結管、メイン流入管及び補助排出管と連結されるように、その外周面に複数の通孔が形成されたバルブハウジングと、
該バルブハウジングに揺動自在に挿合され、前記複数の通孔が相互連通される複数の流路が内部に貫通形成された流路切替弁と、
から構成されることを特徴とする請求項２記載の真空掃除機。
【請求項４】
前記バルブハウジングの複数の通孔は、前記ヘッド連結管と連結される第１通孔と、前記メイン流入管と連結される第２通孔と、前記補助排出管と連結される第３通孔とから構成され、
前記流路切替弁の複数の流路は、前記バルブハウジングの第１通孔と、前記バルブハウジングの第２及び第３通孔中何れか一つとを連結させる第１流路と、
該第１流路により前記バルブハウジングの第１通孔と第３通孔とが連結されるとき、外部の大気と前記バルブハウジングの第２通孔とを連結させる第２流路とから構成されることを特徴とする請求項３記載の真空掃除機。
【請求項５】
前記バルブハウジングの前記複数の通孔は、互いに９０°の円周角を成して形成されることを特徴とする請求項４記載の真空掃除機。
【請求項６】
前記バルブハウジングの第１通孔は、第２通孔と９０°の円周角をなし、前記第３通孔は、第２通孔と１８０°の円周角をなすことを特徴とする請求項４記載の真空掃除機。
【請求項７】
前記流路切替弁の第２流路は、前記第１流路に対して垂直方向に形成されることを特徴とする請求項４記載の真空掃除機。
【請求項８】
前記第２流路の両方端に形成された貫通ホール中少なくとも一つは、外部の大気と通風されるように形成されることを特徴とする請求項７記載の真空掃除機。
【請求項９】
前記補助排出管は、前記メイン排出管の中間部分から分岐され、該メイン排出管と一体に形成されることを特徴とする請求項２記載の真空掃除機。
【請求項１０】
前記流路切替弁の一部は、前記ケーシングの外部に露出されることを特徴とする請求項３記載の真空掃除機。
【請求項１１】
前記外部に露出された流路切替弁の一部の上面には、該流路切替弁の操作を容易にするためのノブが形成されることを特徴とする請求項１０記載の真空掃除機。
【請求項１２】
前記ノブは、所定長さ及び幅を有するように突成されることを特徴とする請求項１０記載の真空掃除機。
【請求項１３】
所定内部空間を有するケーシングと、
該ケーシングの内部に装着され、吸入力を発生し、吸入された空気を排出する吸入力発生部と、
該吸入力発生部と連通されるように前記ケーシングに結合され、前記吸入力発生部の吸入力により床面の不純物を空気と一緒に吸入するか、または外部から吸入された空気を噴射するヘッド部と、
該ヘッド部から流入された空気から不純物を濾過するか、または大気と直接連通されて外部の空気が流入されるフィルタ部と、
前記ヘッド部、フィルタ部及び吸入力発生部と連通されるように設置され、前記吸入力発生部の吸入力により前記ヘッド部から流入された不純物を包含した空気を前記フィルタ部に誘導するか、または外部の大気から直接流入された空気が前記ヘッド部に噴射されるように選択的に流路を切替する流路切替手段と、
前記ヘッド部、フィルタ部、吸入力発生部及び流路切替手段を通して流れる空気の流路を提供する複数の管と、
を包含して構成されることを特徴とする真空掃除機。
【請求項１４】
前記複数の管は、
前記ヘッド部と連通されるように、前記流路切替手段の一方側に形成されたヘッド部連結管と、
前記流路切替手段とフィルタ部との間に介在されたメイン流入管と、
前記フィルタ部と前記吸入力発生部とが連通されるように介在された誘導管と、
前記フィルタ部から前記吸入力発生部に流入された空気が外部に排気されるように、前記吸入力発生部の一方側に連結されたメイン排出管と、
前記流路切替手段と前記メイン排出管とが連通されるように介在された補助排出管と、
から構成されることを特徴とする請求項１３記載の真空掃除機。
【請求項１５】
前記流路切替手段は、
前記ケーシングに設置され、前記ヘッド部連結管、メイン流入管及び補助排出管と連結されるように、その外周面に複数の通孔が形成されたバルブハウジングと、
該バルブハウジングに揺動自在に挿合され、前記複数の通孔が相互連通される複数の流路が内部に貫通形成された流路切替弁と、
から構成されることを特徴とする請求項１４記載の真空掃除機。
【請求項１６】
前記バルブハウジングの複数の通孔は、前記ヘッド連結管と連結される第１通孔と、前記メイン流入管と連結される第２通孔と、前記補助排出管と連結される第３通孔とから構成され、
前記流路切替弁の複数の流路は、前記バルブハウジングの第１通孔と、前記バルブハウジングの第２及び第３通孔中何れか一つとを連結させる第１流路と、
該第１流路により前記バルブハウジングの第１通孔と第３通孔とが連結されるとき、外部の大気と前記バルブハウジングの第２通孔とを連結させる第２流路とから構成されることを特徴とする請求項１５記載の真空掃除機。
【請求項１７】
前記バルブハウジングの前記複数の通孔は、互いに１８０°の円周角を成して形成されることを特徴とする請求項１６記載の真空掃除機。
【請求項１８】
前記流路切替弁の第２流路は、前記第１流路に対して垂直方向に形成されることを特徴とする請求項１６記載の真空掃除機。
【請求項１９】
前記第２流路の両方端に形成された貫通ホール中少なくとも一つは、外部の大気と通風されるように形成されることを特徴とする請求項１６記載の真空掃除機。
【請求項２０】
前記補助排出管は、前記メイン排出管の中間部分から分岐され、該メイン排出管と一体に形成されることを特徴とする請求項１４記載の真空掃除機。
【発明の詳細な説明】
【技術分野】
【０００１】
本発明は、真空掃除機に係るもので、詳しくは、吸入機能と一緒にブロー機能を兼備した真空掃除機に関するものである。
【背景技術】
【０００２】
一般に、真空掃除機は、一般の家庭、建物及び自動車の内部のような室内空間を清掃するための家電製品の一つで、真空吸入力を利用して、掃除区域内に存在する塵のような不純物を除去するものである。
【０００３】
図４は、従来の真空掃除機を示した斜視図、図５は、図４の真空掃除機の本体を示した横断面図で、図示されたように、従来の真空掃除機においては、吸入力を発生する吸入ファンが具備された本体１と、該本体１の前方に連結され、掃除面から吸入された不純物を案内する伸縮ホース２と、該伸縮ホース２の他方端に結合され、掃除モードを選択するための選択モードが収納されたハンドル３と、該ハンドル３の他方端に延長結合された延長管４と、該延長管４の先方端に結合され、掃除面上の不純物を吸入するヘッド部５と、を包含して構成されている。
【０００４】
また、前記本体１は、内部空間を有して形成されたケーシング１aと、該ケーシング１aの一方側に装着された吸入ファン及びモータから構成された吸入力発生部１bと、該吸入力発生部１bの側方の、前記ケーシング１aの他方側に装着されたフィルタ部１cと、該フィルタ部１cと前記伸縮ホース２間に介在され、前記伸縮ホース２に流入される不純物を前記フィルタ部１cに案内する吸入管１dと、前記フィルタ部１cと吸入力発生部１b間に介在され、前記フィルタ部１cを経由した空気を前記吸入力発生部１bに案内する誘導管１eと、前記吸入力発生部１bに連結され、前記フィルタ部１cを経由した空気を外部に排出する排出管１fと、から構成されている。
【０００５】
以下、このように構成された従来の真空掃除機の動作に対して説明する。
【０００６】
まず、真空掃除機に電源を印加し、ハンドル３に収納された選択モードにより掃除モードを選択することで、吸入力発生部１bから吸入力が発生すると、前記ハンドル３を利用してヘッド部５を前後左右方向に動かして掃除を行う。このとき、床面上の不純物は、前記ヘッド部５の底面の吸入ノズル(図示せず)を通して吸入され、延長管４、伸縮ホース２及びケーシング１a内の吸入管１dを経由して、該吸入管１dに連結されたフィルタ部１cで濾過される。次いで、その濾過された空気は、誘導管１e及び吸入力発生部１bを経由した後、排出管１f及び本体１のケーシング１aの一方側に形成された排出口Dをそれぞれ通して大気に排出される。
【発明の開示】
【発明が解決しようとする課題】
【０００７】
然るに、このような従来の真空掃除機においては、吸入力を利用して床面上の不純物を吸入する機能のみ有するため、床面上の不純物を吸入して掃除を行うことは可能であるが、窓枠の隙間の塵を除去しようとする場合、またはカーテンのような布についた塵を除去するとき、掃除機のヘッド部に布が密着されて不純物の吸入が困難な場合は、掃除が不可能であるという不都合な点があった。
【０００８】
本発明は、このような従来の課題に鑑みてなされたもので、吸入モードによる掃除だけでなく、カーテンや窓枠付近の塵もブロー(blow)モードにより吹き飛ばすことで、掃除を完全に行い得る真空掃除機を提供することを目的とする。
【課題を解決するための手段】
【０００９】
このような目的を達成するため、本発明に係る真空掃除機においては、所定内部空間を有して形成されたケーシングと、該ケーシングの内部に装着され、吸入力を発生する吸入力発生部と、前記ケーシングに連結され、不純物を除去するための掃除道具及び流路を備えたヘッド部と、前記ケーシングの内部に装着され、外部から吸入された空気から不純物を濾過するフィルタ部と、前記ケーシングの内部に装着され、前記ヘッド部、フィルタ部及び吸入力発生部に流れる空気の流動方向を選択的に切替する流路切替手段と、前記ヘッド部、フィルタ部、吸入力発生部及び流路切替手段に流れる空気の通路を提供する複数の管と、を包含して構成されることを特徴とする。
【００１０】
また、本発明に係る真空掃除機においては、所定内部空間を有するケーシングと、該ケーシングの内部に装着され、吸入力を発生し、吸入された空気を排出する吸入力発生部と、該吸入力発生部と連通されるように前記ケーシングに結合され、前記吸入力発生部の吸入力により床面の不純物を空気と一緒に吸入するか、または外部から吸入された空気を噴射するヘッド部と、該ヘッド部から流入された空気から不純物を濾過するか、または大気と直接連通されて外部の空気が流入されるフィルタ部と、前記ヘッド部、フィルタ部及び吸入力発生部と連通されるように設置され、前記吸入力発生部の吸入力により前記ヘッド部から流入された不純物を包含した空気を前記フィルタ部に誘導するか、または外部の大気から直接流入された空気が前記ヘッド部に噴射されるように選択的に流路を切替する流路切替手段と、前記ヘッド部、フィルタ部、吸入力発生部及び流路切替手段を通して流れる空気の流路を提供する複数の管と、を包含して構成されることを特徴とする。
【発明の効果】
【００１１】
以下に説明するように、本発明に係る真空掃除機においては、ヘッド部、フィルタ部及び吸入力発生部のメイン排出管間に、空気の流路を切替するための流路切替手段を設置することで、強い風を噴射して塵やその他不純物を除去することができるため、掃除機の活用度を大いに向上し得るという効果がある。
【００１２】
また、吸入時と同様な伸縮ホース、延長管及び吸入ヘッドによりブロー機能を行うことで、構成が簡単で、操作が容易であるという効果がある。よって、付帯費用の節減効果を奏し、生産費用の増加を最小化しながらも、掃除機の機能を多様化することができる。
【発明を実施するための最良の形態】
【００１３】
以下、本発明の実施の形態に対し、図面に基づいて説明する。
【００１４】
図中、従来と同様な部分に対しては同符号を付与する。
【００１５】
図１は、本発明に係る真空掃除機の本体の一部を破断して示した斜視図、図２(A)は、本発明に係る真空掃除機の吸入モードを示した平面図、図２(B)は、本発明に係る真空掃除機のブローモードを示した平面図、図３は、本発明に係る真空掃除機の流路切替手段を示した分解斜視図である。
【００１６】
図示されたように、本発明に係る真空掃除機の本体１０は、所定内部空間を形成するケーシング１１と、該ケーシング１１の内部前方側に設置され、吸入力を発生する吸入力発生部１３と、該吸入力発生部１３の後方側に、該吸入力発生部１３と後述する誘導管１６により連通するように設置され、吸入された空気と不純物とを分離させるフィルタ(図示せず)が具備されたフィルタ部１２と、真空掃除機の本体１０の前方に、ヘッド部連結管１４を介してヘッド部５を前記フィルタ部１２または吸入力発生部１３と選択的に連結させる流路切替手段２０と、を包含して構成されている。
【００１７】
且つ、外部の空気及び不純物が前記フィルタ部１２に流入されるように、該フィルタ部１２と前記流路切替手段２０との間にはメイン流入管１５が連通され、前記フィルタ部１２により濾過された空気は前記吸入力発生部１３に誘導されるように、前記フィルタ部１２と吸入力発生部１３間には誘導管１６が連結され、該誘導管１６を通して前記吸入力発生部１３に流入された空気が外部に排出されるように、該吸入力発生部１３の一方側にメイン排出管１７が連結される。且つ、該メイン排出管１７から分岐されて、該メイン排出管１７を通して外部に排出される空気の一部が前記流路切替手段２０に流れるように、前記メイン排出管１７と流路切替手段２０間には補助排出管１８が連結される。
【００１８】
また、前記流路切替手段２０は、前記吸入発生部１３の上方に形成されたバルブハウジング２１と、該バルブハウジング２１の内部に回転自在に係合され、流体の流動方向を切替する流路切替弁２２と、から構成されている。
【００１９】
また、前記バルブハウジング２１は、図３に示したように、所定高さを有する中空円筒体状に形成されて、その側壁面には、後述するヘッド部連結管１４が係合されることで前記ヘッド部５に連通される第１通孔２１aが切削形成され、該第１通孔２１aと水平方向の円周面に円周角９０°を成して第２通孔２１bが切削形成されることで、該第２通孔２１bには、前記メイン流入管１５の先方端が係合される。且つ、前記第２通孔２１bと水平方向の円周面に円周角１８０°を成して第３通孔２１cが切削形成されることで、該第３通孔２１cには、前記補助排出管１８の先方端が係合される。
【００２０】
また、前記流路切替弁２２は、前記バルブハウジング２１に挿合されるように丸棒状に形成され、その内部に、掃除モードによって、前記バルブハウジング２１の第１通孔２１aと第２通孔２１bとを、または第１通孔２１aと第３通孔２１cとを選択的に連通させる第１流路２２aが貫通形成され、該第１流路２２aに対して垂直方向に第２流路２２bが貫通形成される。該第２流路２２bは、前記第１流路２２aが第１通孔２１aと第２通孔２１bとを連通させるときは、前記バルブハウジング２１の揺動により遮断され、前記第１流路２２aが第１通孔２１aと第３通孔２１cとを連通させるときは、外部の空気を直接第２通孔２１bに連通させるようになる。
【００２１】
このとき、前記第１流路２２aの両方端には、第１貫通ホール２３a及び第２貫通ホール２３bがそれぞれ切削形成されるが、それら第１貫通ホール２３a及び第２貫通ホール２３bは、水平方向の円周面に円周角９０°を成して形成される。また、前記第２流路２２bに形成された第３貫通ホール２４a及び第４貫通ホール２４b中、第３貫通ホール２４aは、前記第１貫通ホール２３aと円周面に沿って円周角１８０°を成して形成され、第４貫通ホール２４bは、前記流路切替弁２２の上面に形成されて外部に露出される。
【００２２】
且つ、前記流路切替弁２２の上面は、前記第４貫通ホール２４bと一緒に本体１０のケーシング１１の外部に露出され、前記流路切替弁２２を手動で操作するためのノブ２６がその流路切替弁２２の上面に形成される。該ノブ２６は、所定長さ及び幅を有するように前記流路切替弁２２の上面より突き出て形成されるか、またはその他の多様な形状に形成することもできる。
【００２３】
このとき、電子装置を装着して、前記流路切替弁２２を自動で操作することができる。
【００２４】
以下、このように構成された本発明に係る真空掃除機の動作に対して説明する。
【００２５】
まず、通常の吸入モードを行うときは、図２(A)に示したように、使用者がハンドル(図４参照)３を把持した状態で本体１０に電源を印加し、流路切替弁２２を揺動させて該流路切替弁２２の第１流路２２aによりヘッド部(図４参照)５とフィルタ部１２とが連通されるようにする。
【００２６】
次いで、吸入力発生部１３から発生する吸入力により、掃除面の空気が不純物と一緒にヘッド部５、延長管(図４参照)４及び伸縮ホース(図４参照)２を経由して吸入され、ヘッド部連結管１４、第１流路２２a及びメイン流入管１５を経由してフィルタ部１２の内部に吸入される。次いで、該フィルタ部１２のフィルタにより不純物と空気とが分離されて、不純物は前記フィルタ部１２の貯蔵桶に充填され、空気は誘導管１６及びメイン排出管１７を通してケーシング１０の外部に排気される。このとき、前記メイン排出管１７から分岐された前記補助排出管１８は、前記流路切替弁２２により閉塞されることで、前記メイン排出管１７に排出される空気は、全て本体１０のケーシング１１の外部に排気される。
【００２７】
一方、本発明に係る掃除機を利用してブローモードを行うときは、図３(B)に示したように、前記流路切替弁２２を吸入モードと反対方向に揺動させて、第１流路２２aによりヘッド部５とメイン排出管１７とが前記補助排出管１８を介して連通されるようにする。
【００２８】
次いで、前記第２流路２２bの出口側の第３貫通ホール２４aが前記メイン流入管１５を通して前記フィルタ部１２と連通されることで、前記吸入力発生部１３から発生する吸入力により、外部の空気が前記第２流路２２b及びメイン流入管１５を通して前記フィルタ部１２に流入され、該フィルタ部１２に流入された空気が、再び前記誘導管１６を通して前記吸入力発生部１３に流入され、その一部は、前記メイン排出管１７を通して前記ケーシング１１の外部に排気され、その他は前記補助排出管１８を通して前記第１流路２２aに排気される。該第１流路２２aに排気された空気は、前記ヘッド部連結管１４を通して伸縮ホース２、延長管４及びヘッド部５に排出されることで、窓枠やその他隅部の塵などを吹き飛ばすようになる。
【図面の簡単な説明】
【００２９】
【図１】図１は、本発明に係る真空掃除機の本体の一部を破断して示した斜視図である。
【図２】図２の(A)及び図２の(B)は、本発明に係る真空掃除機の各モードの動作を示した説明図で、(A)は、吸入モードを示した説明図、(B)は、ブローモードを示した説明図である。
【図３】図３は、本発明に係る真空掃除機の流路切替手段を示した分解斜視図である。
【図４】図４は、従来の真空掃除機を示した斜視図である。
【図５】図５は、従来の真空掃除機の本体を示した断面図である。
【符号の説明】
【００３０】
２…伸縮ホース
５…ヘッド部
１０…本体
１２…フィルタ部
１３…吸入力発生部
２０…流路切替手段
２１…バルブハウジング
２１a…第１通孔
２１b…第２通孔
２１c…第３通孔
２２…流路切替弁
２２a…第１流路
２２b…第２流路
２６…ノブ
【図１】
2005000639.tif 000003
【図２】
2005000639.tif 000004
【図３】
2005000639.tif 000005
【図４】
2005000639.tif 000006
【図５】
2005000639.tif 000007